(57)【要約】【課題】  可撓性を有する合成樹脂性ホース主体の外周面に円筒形状の発泡合成樹脂製断熱材を被覆してなり、発泡合成樹脂製断熱材内からのホース主体の引き抜き抵抗を極めて大きくしているにもかかわらず、発泡合成樹脂製断熱材に対するホース主体の端部の突出長の調整や抜き取りが容易に行えるようにした断熱ホースとその製造方法を提供する。【解決手段】  ホース主体１の外周面に螺旋突条２を突設してあり、このホース主体１を円筒形状の発泡合成樹脂製断熱材３に突き合わせ状態にして回転させながら挿入することにより、発泡合成樹脂製断熱材３の内周面に螺旋突条２によって圧縮形成された螺旋溝４を凹設し、この螺旋突条２と螺旋溝４との係合によってホース主体１に引き抜き抵抗を付与すると共にホース主体１を回転させることによって螺旋溝４に沿って外部に引き出し可能に構成している。【選択図】    図１
2008190549.tif 000002
【特許請求の範囲】
【請求項１】
外周面に長さ方向に連続した螺旋突条を突設してなる可撓性を有する軟質合成樹脂製ホース主体と、このホース主体に被せている円筒形状の発泡合成樹脂製断熱材とからなる断熱ホースであって、上記円筒形状の発泡合成樹脂製断熱材の内径を上記ホース主体の外周面に螺旋巻きしてなる螺旋突条の外周径よりも小径に形成して螺旋突条をこの発泡合成樹脂製断熱材の内周面に食い込ませることにより該発泡合成樹脂製断熱材の内周面に螺旋突条を係合させた螺旋溝を凹設してあり、この螺旋溝に螺旋突条を接着させることなく、ホース主体と発泡合成樹脂製断熱材との相対的な回転によってホース主体を螺旋溝に沿って抜き取り可能に構成していることを特徴とする断熱ホース。
【請求項２】
発泡合成樹脂製断熱材の内径をホース主体の外径に等しくしてこの発泡合成樹脂製断熱材の内周面をホース主体の螺旋突条を含む外周面に全面に亘って密着させていることを特徴とする請求項１に記載の断熱ホース。
【請求項３】
ホース主体の両端部をその外周面に螺旋突条を設けていない接続口部に形成していることを特徴とする請求項１に記載の断熱ホース。
【請求項４】
外周面に長さ方向に連続した螺旋突条を突設してなる軟質合成樹脂製ホース主体を硬質管状保持具に抜き取り可能に被嵌したのち、この硬質管状保持具の先端部側の軟質合成樹脂製ホース主体の端部に内径が螺旋突条の外周径よりも小径の発泡合成樹脂製断熱材の一端部を被せると共に該発泡合成樹脂製断熱材の他端部を閉じた状態にして硬質管状保持具の基端部側からこの硬質管状保持具内を通じて上記発泡合成樹脂製断熱材に圧縮空気を供給することにより、該発泡合成樹脂製断熱材を拡径方向に膨脹させてその内周面と軟質合成樹脂製ホース主体の外周面との間に隙間を発生させ、この状態にして発泡合成樹脂製断熱材を硬質管状保持具の基端部側に向かって差し込み、しかるのち、圧縮空気の供給を停止することにより発泡合成樹脂製断熱材をその弾性復元力により縮径させてその内周面に軟質合成樹脂製ホース主体の螺旋突条を食い込ませた状態に軟質合成樹脂製ホース主体に被覆することを特徴とする断熱ホースの製造方法。
【請求項５】
硬質管状保持具の基端部外周面に受止突部を突設してあり、この受止突部に一端面が当接した状態となるようにこの硬質管状保持具に軟質合成樹脂製ホース主体を被嵌させておくと共に、圧縮空気によって膨脹、拡径した発泡合成樹脂製断熱材を上記受止突部に当接するまで差し込むことを特徴とする請求項４に記載の断熱ホースの製造方法。
【請求項６】
外周面に長さ方向に連続した螺旋突条を突設してなる可撓性を有する軟質合成樹脂製ホース主体と、内径をこのホース主体の外周面に突設した上記螺旋突条の外周径よりも小径に形成されている円筒形状の発泡合成樹脂製断熱材とを突き合わせ状に対向させて、ホース主体の端部を発泡合成樹脂製断熱材の対向端部に挿入すると共にホース主体と発泡合成樹脂製断熱材とのいずれか一方を回転させることにより、ホース主体の螺旋突条を発泡合成樹脂製断熱材の内周面に食い込ませると共にその螺旋突条の食い込みによって螺旋溝を形成しながらこのホース主体を発泡合成樹脂製断熱材内に挿嵌させることを特徴とする断熱ホースの製造方法。
【請求項７】
円筒形状の発泡合成樹脂製断熱材を固定する一方、ホース主体に芯材を挿嵌してこの芯材を回転させることによりホース主体を一体に回転させてその螺旋突条を発泡合成樹脂製断熱材の内周面に食い込ませながら発泡合成樹脂製断熱材の全長に亘って挿嵌したのち、ホース主体内から芯材を抜き取ることを特徴とする請求項６に記載の断熱ホースの製造方法。
【請求項８】
ホース主体の端部をその外周面に螺旋突条を設けていない接続口部に形成していることを特徴とする請求項４又は請求項６に記載の断熱ホースの製造方法。
【発明の詳細な説明】
【技術分野】
【０００１】
本発明は、冷房装置などの空調機のドレーンホースとして使用に適した可撓性を有する断熱ホースに関するものである。
【背景技術】
【０００２】
従来からこの種の断熱ホースとしては、芯線を内装した中空螺旋突条を外周面に一体に設けてなる軟質塩化ビニル樹脂製内管の外周に、発泡ポリエチレン樹脂よりなる帯状断熱材を内管と同一樹脂よりなる螺旋状仕切壁を介して螺旋状に巻回して一定厚みの断熱層を形成し、この断熱層の外周面を軟質塩化ビニル樹脂よりなる薄肉の外管で被覆してなる断熱ホースが広く知られているが、このような構造を有する断熱ホースによれば、軟質塩化ビニル樹脂製の内管を形成しながらその外周面に帯状断熱材を螺旋巻きして断熱層を形成する必要があるために、製造に手間を要してコスト高になるという問題点がある。
【０００３】
そのため、例えば、特許文献１に記載されているように、外周に断面Ｖ字状の多数の円環状突条を、該円環状突条の基端側における幅よりも広い間隔毎に長さ方向に順次突設し、且つ、両端部に接続口部を形成している可撓性を有する合成樹脂製のホース主体と、内径が上記円環状突条の外径よりも小径の円筒形状に形成されている発泡合成樹脂製断熱材とを別々に製造しておき、この円筒形状の断熱材を上記合成樹脂製のホース主体に外嵌させて断熱材の内層部に上記円環状突条の頂部を食い込ませた状態にしてなる断熱ホースが開発されている。
【０００４】
一方、ホース主体の円環状突条に内周面を食い込ませることなく該円環状突条の頂面に接するようにして円筒形状の発泡合成樹脂製断熱材を被覆してなる断熱ホースも特許文献２に記載されている。
【特許文献１】特許第３３７１２４３号公報
【特許文献２】特開２００４−３１６６７５号公報
【発明の開示】
【発明が解決しようとする課題】
【０００５】
上記断熱ホースにおいては、いずれも、予め、可撓性を有する合成樹脂製のホース主体と、円筒形状の発泡合成樹脂製断熱材とを別々に製造しておくので、それぞれの製造が容易に行えるが、前者の断熱ホースによれば、ホース主体に発泡合成樹脂製断熱材を外嵌させて断熱ホースを形成する場合、発泡合成樹脂製断熱材の内径がホース主体の円環状突条の外径よりも小径であるために、該発泡合成樹脂製断熱材をホース主体に外嵌させる作業が極めて困難であり、多量生産に適さないという問題点がある。
【０００６】
さらに、一旦、ホース主体に発泡合成樹脂製断熱材を被嵌させると、ホース主体に突設している全ての円環状突条がこの発泡合成樹脂製断熱材の内周面に食い込んで該内周面を凹ますことにより円環条突条を係止させた円周溝が形成されるので、ホース主体の端部を所定長さだけ引き出そうとしても、さらには、ホース主体を発泡合成樹脂製断熱材から抜き取ろうとしても、ホース主体の外周面に突設している全ての円環状突条が発泡合成樹脂製断熱材の内周面に該円環状突条の食い込みによって凹設された円周溝に係止しているから、大きな引き抜き抵抗が生じて引き出すことができず、ホースの端部に形成している接続口の発泡合成樹脂製断熱材からの突出長等の調整や、ホース主体の点検、発泡合成樹脂製断熱材の交換等が極めて困難であるといった問題点が生じる。
【０００７】
このような問題点は、上記後者の断熱ホースのように、ホース主体の円環状突条に内周面を食い込ませることなく該円環状突条の頂面に接するようにして円筒形状の発泡合成樹脂製断熱材を被覆しておけば解消することができるが、このような構造では、取扱い中や施工時等において、或いは、施工後の振動等によって、発泡合成樹脂製断熱材がホース主体の長さ方向に摺動移動して精度のよい施工ができなくなる虞れがあるばかりでなく、ホース主体の両端部において、その外周面と発泡合成樹脂製断熱材の内周面間の隙間が外気に連通した状態となっているため断熱機能が低下するといった問題点があった。
【０００８】
本発明は上記のような問題点に鑑みてなされたもので、その目的とするところは、軟質合成樹脂製ホース主体に円筒形状の発泡合成樹脂製断熱材を被せてなる断熱ホースであって、発泡合成樹脂製断熱材内からのホース主体の引き抜き抵抗を極めて大きくしているにもかかわらず、発泡合成樹脂製断熱材の端部からのホース主体の突出長の調整やホース主体の抜き取りが容易に且つ正確に行うことができ、且つ、優れた断熱効果を奏することができる断熱ホースと、この断熱ホースを能率よく、且つ、安価に製造できる方法を提供するにある。
【課題を解決するための手段】
【０００９】
上記目的を達成するために、本発明の断熱ホースは、請求項１に記載したように、外周面に長さ方向に連続した螺旋突条を突設してなる可撓性を有する軟質合成樹脂製ホース主体と、このホース主体に被せている円筒形状の発泡合成樹脂製断熱材とからなる断熱ホースであって、上記円筒形状の発泡合成樹脂製断熱材の内径を上記ホース主体の外周面に螺旋巻きしてなる螺旋突条の外周径よりも小径に形成して螺旋突条をこの発泡合成樹脂製断熱材の内周面に食い込ませることにより該発泡合成樹脂製断熱材の内周面に螺旋突条を係合させた螺旋溝を凹設してあり、この螺旋溝に螺旋突条を接着させることなく、ホース主体と発泡合成樹脂製断熱材との相対的な回転によってホース主体を螺旋溝に沿って抜き取り可能に構成している。
【００１０】
このように構成した断熱ホースにおいて、請求項２に係る発明は、上記発泡合成樹脂製断熱材の内径をホース主体の外周面の外径に等しくして、この発泡合成樹脂製断熱材の内周面をホース主体の螺旋突条を含む外周面に全面に亘って密着させていることを特徴とする。
【００１１】
さらに、請求項３に係る発明は、上記ホース主体の両端部をその外周面に螺旋突条を設けていない接続口部に形成していることを特徴とする。
【００１２】
また、請求項４に係る発明は上記断熱ホースの製造方法であって、外周面に長さ方向に連続した螺旋突条を突設してなる軟質合成樹脂製ホース主体を硬質管状保持具に抜き取り可能に被嵌したのち、この硬質管状保持具の先端部側の軟質合成樹脂製ホース主体の端部に内径が螺旋突条の外周径よりも小径の発泡合成樹脂製断熱材の一端部を被せると共に該発泡合成樹脂製断熱材の他端部を閉じた状態にして硬質管状保持具の基端部側からこの硬質管状保持具内を通じて上記発泡合成樹脂製断熱材に圧縮空気を供給することにより、該発泡合成樹脂製断熱材を拡径方向に膨脹させてその内周面と軟質合成樹脂製ホース主体の外周面との間に隙間を発生させ、この状態にして発泡合成樹脂製断熱材を硬質管状保持具の基端部側に向かって差し込み、しかるのち、圧縮空気の供給を停止することにより発泡合成樹脂製断熱材をその弾性復元力により縮径させてその内周面に軟質合成樹脂製ホース主体の螺旋突条を食い込ませた状態に軟質合成樹脂製ホース主体に被覆することを特徴とする。
【００１３】
この請求項４に記載の断熱ホースの製造方法において、請求項５に係る発明は、上記硬質管状保持具の基端部外周面に受止突部を突設してあり、この受止突部に一端面が当接した状態となるようにこの硬質管状保持具に軟質合成樹脂製ホース主体を被嵌させておくと共に、圧縮空気によって膨脹、拡径した発泡合成樹脂製断熱材を上記受止突部に当接するまで差し込むことを特徴とする。
【００１４】
請求項６に係る発明は、上記断熱ホースの別な製造方法であって、外周面に長さ方向に連続した螺旋突条を突設してなる可撓性を有する軟質合成樹脂製ホース主体と、内径をこのホース主体の外周面に突設した上記螺旋突条の外周径よりも小径に形成されている円筒形状の発泡合成樹脂製断熱材とを突き合わせ状に対向させて、ホース主体の端部を発泡合成樹脂製断熱材の対向端部に挿入すると共にホース主体と発泡合成樹脂製断熱材とのいずれか一方を回転させることにより、ホース主体の螺旋突条を発泡合成樹脂製断熱材の内周面に食い込ませると共にその螺旋突条の食い込みによって螺旋溝を形成しながらこのホース主体を発泡合成樹脂製断熱材内に挿嵌させることを特徴とする。
【００１５】
この請求項６に記載の断熱ホースの製造方法において、請求項７に係る発明は、上記円筒形状の発泡合成樹脂製断熱材を固定する一方、ホース主体に芯材を挿嵌してこの芯材を回転させることによりホース主体を一体に回転させてその螺旋突条を発泡合成樹脂製断熱材の内周面に食い込ませながら発泡合成樹脂製断熱材の全長に亘って挿嵌したのち、ホース主体内から芯材を抜き取ることを特徴とする。
【００１６】
また、上記請求項４又は請求項６に記載の断熱ホースの製造方法において、請求項８に係る発明は、ホース主体の端部をその外周面に螺旋突条を設けていない接続口部に形成していることを特徴とする。
【発明の効果】
【００１７】
請求項１に係る発明によれば、円筒形状の発泡合成樹脂製断熱材の内径を軟質合成樹脂製ホース主体の外周面に突設している螺旋突条の螺旋巻き外周径よりも小径に形成し、その螺旋突条を発泡合成樹脂製断熱材の内周面に食い込ませて該内周面を弾性的に圧縮変形させながら凹ませることにより、発泡合成樹脂製断熱材の内周面に螺旋突条を係合させた螺旋溝を設けているので、ホース主体の螺旋突条が円筒形状の発泡合成樹脂製断熱材の内周面に食い込んでいるから、発泡合成樹脂製断熱材からの引き抜き抵抗が極めて大きくてホース主体に発泡合成樹脂製断熱材を強固に被覆させておくことができるのは勿論、このように引き抜き抵抗が大きいにもかかわらず、ホース主体を螺旋突条の長さ方向に螺旋状に回転させれば、発泡合成樹脂製断熱材の内周面に凹設している螺旋溝をガイドとしてホース主体を、円筒形状の発泡合成樹脂製断熱材から所望長さだけ引き出したり、或いは発泡合成樹脂製断熱材内にその端部を没入させたり、さらには、発泡合成樹脂製断熱材から抜き取る作業が容易に行うことができる。
【００１８】
従って、ホース主体の端部に設けている接続口の位置調整やホース主体の点検、発泡合成樹脂製断熱材の交換等が簡単且つ正確に行うことができると共に、発泡合成樹脂製断熱材の端部内にホース主体を挿嵌させる際には、このホース主体の端部を発泡合成樹脂製断熱材の対向端部内に挿入した状態で該ホース主体を回転させれば、その外周面に突設している螺旋突条が発泡合成樹脂製断熱材の内周面に食い込んでその食い込んだ内周面部分を弾性的に圧縮させることにより螺旋溝を形成しながらホース主体が発泡合成樹脂製断熱材内に挿嵌して優れた断熱効果を発揮することができる断熱ホースを容易に形成することができる。
【００１９】
さらに、請求項２に係る発明によれば、上記円筒形状の発泡合成樹脂製断熱材の内径をホース主体の外周面の外径に等しくしてこの発泡合成樹脂製断熱材の内周面をホース主体の螺旋突条を含む外周面全面に亘って密着させているので、発泡合成樹脂製断熱材の内周面とホース主体の外周面とが全長に亘って隙間なく密着して一層、断熱効果に優れた断熱ホースを提供することができる。
【００２０】
請求項３に係る発明によれば、ホース主体の両端部をその外周面に螺旋突条を設けていない接続口部に形成しているので、このホース主体の端部に継手金具を装着することなくこの接続口部によってドレーン口やその他のホースに容易に接続することができる。
【００２１】
また、請求項４及び請求項５に係る発明は、上記断熱ホースの製造方法であって、外周面に長さ方向に連続した螺旋突条を突設してなる軟質合成樹脂製ホース主体を硬質管状保持具に抜き取り可能に被嵌したのち、この硬質管状保持具の先端部側の軟質合成樹脂製ホース主体の端部に内径が螺旋突条の外周径よりも小径の発泡合成樹脂製断熱材の一端部を被せると共に該発泡合成樹脂製断熱材の他端部を閉じた状態にして硬質管状保持具の基端部側からこの硬質管状保持具内を通じて上記発泡合成樹脂製断熱材に圧縮空気を供給するので、この圧縮空気によって発泡合成樹脂製断熱材の内部の空気圧が瞬時に増大して該発泡合成樹脂製断熱材を弾性的に膨脹させて拡径させることができる。
【００２２】
この拡径によって発泡合成樹脂製断熱材の内周面と軟質合成樹脂製ホース主体の外周面との間に隙間が発生し、この隙間を通じて圧縮空気が外部に漏出するので、発泡合成樹脂製断熱材は大きく拡径することなく、その内周面が漏出する空気層を介して軟質合成樹脂製ホース主体の外周面に平行に沿った状態となり、この状態から発泡合成樹脂製断熱材を硬質管状保持具の基端部側に向かって差し込むように押し進めることにより、漏出する空気の流れに案内されながら、瞬時に且つ円滑に軟質合成樹脂製ホース主体に被覆させることができる。
【００２３】
この際、硬質管状保持具の基端部外周面に受止突部を突設して、この硬質管状保持具に軟質合成樹脂製ホース主体をその一端面が上記受止突部に当接した状態となるように被嵌させておき、この状態にして上述したように圧縮空気によって膨脹、拡径した発泡合成樹脂製断熱材を受止突部に向かって押し進めてその一端面を該受止突起に当接させるものであるから、簡単且つ正確に発泡合成樹脂製断熱材を軟質合成樹脂製ホース主体に被覆させることができる。
【００２４】
しかるのち、圧縮空気の供給を停止させることにより、発泡合成樹脂製断熱材はその弾性復元力により縮径してその内周面に軟質合成樹脂製ホース主体の螺旋突条を食い込ませた状態で軟質合成樹脂製ホース主体に被着した断熱ホースが得られ、この断熱ホースを硬質管状保持具から抜き取ることによって能率よく安価に製造することができる。
【００２５】
また、上記請求項６に記載の断熱ホースの製造方法によれば、軟質合成樹脂製のホース主体と内径がこのホース主体の外周面に螺旋巻きした螺旋突条の外周径よりも小径に形成されている円筒形状の発泡合成樹脂製断熱材とを突き合わせ状に対向させて、ホース主体の端部を発泡合成樹脂製断熱材の対向端部に挿入すると共にホース主体と発泡合成樹脂製断熱材とのいずれか一方を回転させることにより、ホース主体の螺旋突条を発泡合成樹脂製断熱材の内周面に食い込ませると共にその食い込みによって該発泡合成樹脂製断熱材の内周面に螺旋溝を形成しながらこのホース主体を発泡合成樹脂製断熱材内に挿嵌させるので、ホース主体の外周面に突設している螺旋突条の螺旋巻きの外周径が発泡合成樹脂製断熱材の内周径よりも大径であるにもかかわらず、その螺旋突条によって該螺旋突条が接する発泡合成樹脂製断熱材の内周面部分を弾性的に圧縮して該内周面に螺旋溝を凹設しながら、該螺旋溝をガイドとして発泡合成樹脂製断熱材にホース主体を確実且つ円滑に挿嵌させていくことができ、軟質合成樹脂製ホース主体に発泡合成樹脂製断熱材を被覆してなる断熱ホースを能率よく且つ安価に製造することができる。
【００２６】
請求項７に係る発明によれば、上記請求項６に記載の発明において、円筒形状の発泡合成樹脂製断熱材を固定する一方、軟質合成樹脂製のホース主体に芯材を挿嵌してこの芯材を回転させることにより該ホース主体を一体に回転させてその螺旋突条を発泡合成樹脂製断熱材の内周面に食い込ませながら発泡合成樹脂製断熱材の全長に亘って挿嵌したのち、ホース主体内から芯材を抜き取るものであるから、芯材によって軟質合成樹脂製のホース主体を直状に保持しながら、全長に亘ってその中心線回りに容易に回転させることができ、発泡合成樹脂製断熱材内への挿嵌が確実且つ円滑に行うことができて多量生産に適するものである。
【００２７】
さらに、請求項８に係る発明によれば、上記ホース主体の端部をその外周面に螺旋突条を設けていない小径の接続口部に形成しているので、断熱ホースの製造に際して、このホース主体の端部に対して発泡合成樹脂製断熱材の先端部を被せる作業や該発泡合成樹脂製断熱材の端部内へのホース主体の端部の挿入作業が何等の抵抗を受けることなく簡単且つ確実に行うことができ、断熱ホースを円滑に製造することができる。
【発明を実施するための最良の形態】
【００２８】
次に、本発明の具体的な実施の形態を図面について説明すると、図１は可撓性を有するホース主体１に円筒形状の発泡合成樹脂製断熱材２を被覆してなる断熱ホースにおいて、ホース主体１を半断面してなる該断熱ホースの縦断側面図であり、図２は上記円筒形状の発泡合成樹脂製断熱材３の端部からホース主体１の端部を適宜長さだけ外部に突出させている断熱ホースの一部分の斜視図である。これらの図において、ホース主体１は、軟質塩化ビルニ樹脂又はＥＶＡ樹脂その他の軟質合成樹脂よりなり、一定厚みを有すると共にその内周面は全長に亘って同一径の平滑面に形成されてあり、さらに、その外周面に長さ方向に連続した一定高さを有する螺旋突条２を一定のピッチでもって突設してなるものである。
【００２９】
この螺旋突条２は、公知のようにホース主体１の製造時において、該ホース主体１の外周面に断面円形ないしは楕円形状のポリプロピレン、ポリエチレン等の適度な弾性と硬度を有する合成樹脂製の芯線2aを螺旋巻きし、この上にホース主体１と同一材料よりなる半溶融状態の合成樹脂被覆帯材を螺旋巻きすることによって形成された合成樹脂被覆層により被覆されてなるもので、この芯線2aからなる螺旋突条２によってホース主体１に耐圧縮性を付与して偏平状に圧潰するのを防止していると共に、短尺の場合には常態においてはホース主体１を直状に保持しているものであり、且つ、ホース主体１を人手等による外力を加えることによって容易に屈曲させるように構成している。
【００３０】
上記螺旋突条２をホース主体１の外周面に全長に亘って突設しておいてもよいが、図においては、ホース主体１を定尺の長さにして、その両端部外周面に螺旋突条２が設けられていない接続口部1a、1aに形成している。従って、この接続口部1a、1aの外径は、螺旋突条を設けていないホース主体１の外径と同径である。
【００３１】
このように構成したホース主体１を被覆している上記円筒形状の発泡合成樹脂製断熱材２は、発泡ポリエチレン樹脂、または発泡ポリプロピレンなどのオレフィン系発泡樹脂、或いは発泡ウレタンゴム等の発泡樹脂からなり、その内径はホース主体１の外周面に突設している螺旋巻きした螺旋突条２の外周径、即ち、ホース主体１の直径方向に対向する螺旋突条２の頂面間の外径よりも小径であって、ホース主体１の外周面の径と同径又はこの径よりも大径に形成している。
【００３２】
従って、ホース主体１にこの円筒形状の発泡合成樹脂製断熱材３を被覆した状態においては、ホース主体１の外周面に突設している螺旋突条２が発泡合成樹脂製断熱材３の内周面に食い込んで、その食い込んでいる内周面部分を弾性的に圧縮させて食い込み高さに応じた深さの螺旋溝４に形成してあり、この螺旋溝４に螺旋突条２が一体に接着することなく螺旋方向に相対移動可能に係合している。なお、発泡合成樹脂製断熱材２は弾性変形が可能であるので、その内径をホース主体１の外径よりも僅かに小径に形成しておき、その内周面を拡径方向に弾性的に圧縮変形させることによって螺旋突条２の表面からホース主体１の外周面に全面的に密着、被覆させておいてもよい。
【００３３】
上述したように、発泡合成樹脂製断熱材３の内径をホース主体１における螺旋突条２の螺旋巻きした際の外周径よりも小径に形成しているが、図１においては、発泡合成樹脂製断熱材３の内径をホース主体１の外周面1bの径に等しくしてあり、従って、発泡合成樹脂製断熱材３の内周面がその弾性力によって螺旋突条２の突出表面及びホース主体１の外周面に全長に亘って全面的に隙間なく密着している。
【００３４】
また、ホース主体１と円筒形状の発泡合成樹脂製断熱材３の長さとを図１に示すように同一長さにして、ホース主体１の両端の接続口部1a、1aに至るまで発泡合成樹脂製断熱材３によって被覆した断熱ホースを形成しておいてもよいが、接続口部1a、1aが発泡合成樹脂製断熱材３の両端から突出するように該発泡合成樹脂製断熱材３の長さをホース主体１よりも短くしておいてもよい。なお、この発泡合成樹脂製断熱材３は、ホース主体１を被覆し得る一定幅と一定厚みを有する帯状の発泡合成樹脂製断熱材を、幅方向に円形状に湾曲させてその両側端面を突き合わせ、その接合端面同士を熱融着することにより形成されている。この場合、帯状の発泡合成樹脂製断熱材として長尺のものを使用し、長い円筒形状に形成したのち、ホース主体１の長さに応じて所定長さ毎に切断することが好ましい。  
【００３５】
このように構成した断熱ホースは、円筒形状の発泡合成樹脂製断熱材３の端部を把持した状態でこの発泡合成樹脂製断熱材３に内挿しているホース主体１の端部を他方の手で周方向に回転させると、ホース主体１の外周面に突設している螺旋突条２が、この螺旋突条２によって発泡合成樹脂製断熱材３の内周面に凹設されている螺旋溝４をガイドとしてホース主体１が螺進するようにして長さ方向に移動し、図２に示すように発泡合成樹脂製断熱材３の端面からその接続口部1aを突出させたり、或いは、その接続口部1aの位置調整が正確に行うことができると共に、発泡合成樹脂製断熱材３からの抜き取りも容易に行うことができる。
【００３６】
また、発泡合成樹脂製断熱材３内への挿嵌も、該ホース主体１の接続口部1aを発泡合成樹脂製断熱材３の対向端部内に挿入してホース主体１の外周に突設している螺旋突条２の始端部を発泡合成樹脂製断熱材３の端面の内層部分に押し付け、この状態からホース主体１を螺旋突条２の螺旋方向に回転させれば、螺旋突条２が発泡合成樹脂製断熱材３の内周面を弾性的に圧縮させながらその圧縮によって該内周面に螺旋溝４を凹設し、後続する螺旋突条２が先に形成された螺旋溝４をガイドして進行して発泡合成樹脂製断熱材３内にホース主体１を確実且つ円滑に挿嵌させることができる。
【００３７】
図３は上記断熱ホースの製造方法の一例を示す簡略縦断側面図であって、外径が上記軟質合成樹脂製ホース主体１の内径と略同径で、長さが軟質合成樹脂製ホース主体１を全長に亘って支持可能な長さに形成していると共に基端部外周面に鍔状の受止突部６を突設している金属等の硬質材料からなる管状保持具５を使用し、この管状保持具５の基端部に圧縮空気供給ホース７を接続しておく。
【００３８】
この状態にして上記管状保持具５の先端部に軟質合成樹脂製ホース主体１の一端部を被せたのち、その一端面が上記受止突部６に当接、受止されるまで差し込むことにより、この軟質合成樹脂製ホース主体１を管状保持具５に抜き取り可能に被嵌させ、次いで、該軟質合成樹脂製ホース主体１の他端部、即ち、管状保持具５の先端部を被覆している端部に内径が軟質合成樹脂製ホース主体１の外周面に突設している螺旋突条２の外周径よりも小径の円筒形状の発泡合成樹脂製断熱材３の一端部を被せると共に管状保持具５の先端から延長方向に突出している該発泡合成樹脂製断熱材３の他端部を作業員が指先等で摘むことにより偏平状に圧縮変形させてその他端開口端部を閉止させる。なお、軟質合成樹脂製ホース主体１の端部は、螺旋突条２が設けられていない接続口部1aに形成しているので、この端部上に上記発泡合成樹脂製断熱材３の一端部の被嵌作業が簡単に行うことができる。  
【００３９】
しかるのち、作業員が圧縮空気供給用スイッチ（図示せず）等を操作して上記供給ホース７から管状保持具５内を通じて発泡合成樹脂製断熱材３内に圧縮空気を供給すると、該発泡合成樹脂製断熱材３内の空気圧が増大してその空気圧により発泡合成樹脂製断熱材３が図３において二点鎖線で示すように膨脹して拡径する。この拡径によって軟質合成樹脂製ホース主体１の他端部外周面とこの他端部に被嵌している発泡合成樹脂製断熱材３の一端部内周面との間に隙間８が生じ、この隙間８を通じて発泡合成樹脂製断熱材３内の圧縮空気が外部に漏出し、この漏出空気層によって軟質合成樹脂製ホース主体１の外周面に対する発泡合成樹脂製断熱材３の摺接摩擦がなくなると共に、この状態して該発泡合成樹脂製断熱材３の他端部を摘んでいる指先を管状保持具５側に向かって移動させると、発泡合成樹脂製断熱材３全体が押し進められて上記隙間８を通じて外部に漏出する空気層を介して該空気層の流れに乗りながら軟質合成樹脂製ホース主体１の外周面に沿って平行に進入する。
【００４０】
そして、この発泡合成樹脂製断熱材３の一端面が管状保持具５の上記受止突部６に当接するまで進入すると、軟質合成樹脂製ホース主体１が全長に亘って該発泡合成樹脂製断熱材３により被覆された状態となり、管状保持具５の受止突部６に当接した時に、その感触によって作業員がスイッチ等を操作して圧縮空気の供給を停止させると、発泡合成樹脂製断熱材３はその弾性復元力によって縮径してその内周面に軟質合成樹脂製ホース主体１の螺旋突条２を食い込ませ、その食い込みによって該内周面に螺旋溝４が凹設され、軟質合成樹脂製ホース主体１に発泡合成樹脂製断熱材３を被嵌させてなる一定長の断熱ホースを得ることができる。こうして得られた断熱ホースを管状保持具５から抜き取り、再び、この管状保持具５を使用して次の軟質合成樹脂製ホース主体１と発泡合成樹脂製断熱材３とで上記同様に断熱ホースを製造する。なお、受止突部６に圧縮空気供給停止スイッチ片を設けておき、発泡合成樹脂製断熱材３の一端面が該スイッチ片に当接した時に圧縮空気の供給を停止させるように構成しておいてもよい。
【００４１】
次に、上記断熱ホースの別な製造方法を説明すると、外周面に螺旋突条２を突設している軟質合成樹脂製ホース主体１と、内径がこのホース主体１の外周面に螺旋巻きしてなる螺旋突条２の外周径よりも小径に形成されている円筒形状の発泡合成樹脂製断熱材３とを同一軸線上に突き合わせ状に対向させたのち、ホース主体１の端部を円筒形状の発泡合成樹脂製断熱材３の対向端部内に挿入し、さらに、ホース主体１をその外周面に突設している螺旋突条２が発泡合成樹脂製断熱材３に向かって螺進する方向に回転させながらこの発泡合成樹脂製断熱材３内に挿入する。具体的には、ホース主体１が一回転する間に螺旋突条２が一ピッチ進む速度でもって発泡合成樹脂製断熱材３内にホース主体１を挿入していく。
【００４２】
このように、ホース主体１を回転させながら円筒形状の発泡合成樹脂製断熱材３内に挿入すると、ホース主体１の外周面に突設している螺旋突条２と接する発泡合成樹脂製断熱材３の内周面が硬質の芯線からなる該螺旋突条２の食い込みによって拡径方向に弾性的に圧縮させられてその内周面に螺旋突条２を係合させた螺旋溝４が形成され、ホース主体１が発泡合成樹脂製断熱材３内の全長に亘って貫通した状態となるようにこの発泡合成樹脂製断熱材３内に挿入することにより断熱ホースを製造することができる。なお、ホース主体１を回転させることなく円筒形状の発泡合成樹脂製断熱材３を回転させながら発泡合成樹脂製断熱材３内にホース主体１を挿嵌させることによって断熱ホースを製造することもできる。
【００４３】
図４〜図７は断熱ホースの製造方法の具体例を示すもので、図４、図５に示すように、ホース主体１の内周面に抜き取り可能に圧入、嵌合し得る外径を有する棒状の芯材10を使用し、この芯材10を一定長さを有するホース主体１内に図６に示すように挿嵌させる。芯材10はホース主体１の長さよりも長い金属棒又は金属筒11の外周面に一定厚みを有するゴム製の外筒体12を被嵌させてなり、その先端が先細に形成されていると共に外筒体12の外周面には凹条と凸条とが周方向に交互に且つ外筒体12の全長に亘って直状に形成されている。従って、ホース主体１に対するこの芯材10の挿入、抜き取りが容易に行うことができると共に、芯材10をその軸芯回りに回転させた時に、その回転力がホース主体１の内周面に弾性的に圧接している凸条を介してホース主体１に伝達され、ホース主体１を芯材10と一体的に回転させることができる。
【００４４】
このように、ホース主体１内に芯材10を挿嵌したのち、円筒形状の発泡合成樹脂製断熱材３に対してホース主体１を同一軸心上で対向させ、且つ、発泡合成樹脂製断熱材３を固定した状態にして図７に示すように、芯材10を回転させることによってホース主体１を一体的に回転させながら発泡合成樹脂製断熱材３内に螺進状態に挿入することにより、ホース主体１の外周面に突設している硬質の芯線からなる螺旋突条２を発泡合成樹脂製断熱材３の内周面に食い込ませて該内周面に上述したように螺旋突条２を係合させた螺旋溝４を凹設し、図８に示すように、ホース主体１が発泡合成樹脂製断熱材３内を貫通した状態となるまで挿入したのち、二点鎖線で示すように、芯材10を抜き取ることにより、ホース主体１を発泡合成樹脂製断熱材３によって被覆した断熱ホースを得るものである。
【００４５】
なお、芯材10を抜き取り方向に引っ張っても、ホース主体１はその外周面に突設している螺旋突条２を発泡合成樹脂製断熱材３の内周面に凹設された螺旋溝４に係止しているので、芯材10と一体に抜き取られる虞れはない。芯材10を回転させながら発泡合成樹脂製断熱材３内にホース主体１を挿入していくには、ホース主体１から突出している心材10の突出端部を人手によって掴持させて回転、挿入操作を行ってもよく、或いは、その突出端部を適宜のチャック部材によって掴持させ、このチャック部材を回転させながら挿入することにより行うこともできる。
【００４６】
図９は断熱ホースの製造方法の別な実施例を示すものであって、上記のような芯材10を用いることなく、一定長さを有するホース主体１の長さ方向の数カ所を３方からゴムロールからなる回転ロール20、20、20によって支持し、このホース主体１と発泡合成樹脂製断熱材３とを同一軸芯上で突き合わせ状に且つ発泡合成樹脂製断熱材３を固定した状態に配設したのち、回転ロール20を一斉に回転させてホース主体１をその外周面に突設している螺旋突条２が発泡合成樹脂製断熱材２の内周面に食い込んでいく方向に回転させると共に該ホース主体１が一回転する間に螺旋突条２が一ピッチ進む速度でもってホース主体１を発泡合成樹脂製断熱材３に向かって前進移動させると、ホース主体１の外周面に突設している螺旋突条２が発泡合成樹脂製断熱材３の内周面に食い込んで、該内周面に螺旋突条２を係合させた螺旋溝４を凹設していく。そして、この螺旋溝４に、発泡合成樹脂製断熱材３の開口端部から該発泡合成樹脂製断熱材３内に進入する後続の螺旋突条２部分が連続的に係合しながら進入し、ホース主体１の前端が発泡合成樹脂製断熱材３の前端に達すると、ホース主体１に発泡合成樹脂製断熱材３が全長に亘って被覆してなる弾性ホースを得ることができる。
【図面の簡単な説明】
【００４７】
【図１】ホース主体を半断面した断熱ホースの縦断側面図。
【図２】ホース主体の端部を露出させた状態の斜視図。
【図３】断熱ホースの製造方法を示す簡略縦断側面図。
【図４】別な断熱ホースの製造方法に使用する芯材の一部を断面した側面図。
【図５】芯材の縦断正面図。
【図６】ホース主体に芯材を挿嵌させた状態の一部を断面した側面図。
【図７】断熱ホースを製造している状態の一部を断面した側面図。
【図８】断熱ホースを製造した状態の一部縦断側面図。
【図９】断熱ホースの別な製造方法を示す一部を断面した側面図。
【符号の説明】
【００４８】
１  ホース主体
1a  接続口部
２  螺旋突条
2a  芯線
３  発泡合成樹脂製断熱材
４  螺旋突条
５  管状保持具
６  受止突部
７  圧縮空気供給ホース
【図１】
2008190549.tif 000003
【図２】
2008190549.tif 000004
【図３】
2008190549.tif 000005
【図４】
2008190549.tif 000006
【図５】
2008190549.tif 000007
【図６】
2008190549.tif 000008
【図７】
2008190549.tif 000009
【図８】
2008190549.tif 000010
【図９】
2008190549.tif 000011